【事件の表示】
　商願２０１０−　４３０２８拒絶査定不服審判事件について、次のとおり審決する。
【結　論】
　原査定を取り消す。
　本願商標は、登録すべきものとする。
【理　由】
１　本願商標
　本願商標は、別掲１に示すとおりの構成からなり、第３５類に属する願書記載のとおりの役務を指定役務として、平成２１年１２月８日に登録出願された商願２００９−９２９２９に係る商標法第１０条第１項の規定による商標登録出願として、平成２２年５月３１日に登録出願、その後、指定商品については、当審における平成２３年６月２４日付け手続補正書により、別掲１０のとおり補正されたものである。
　
２　原査定の拒絶の理由
　原査定において、本願商標が商標法第４条第１項第１１号に該当するとして本願の拒絶の理由に引用した登録商標は、次の（１）ないし（３５）であり、現に有効に存続しているものである（ただし、（９）を除く。）。
（１）登録第２２０８７８号商標（以下「引用商標１」という。）は、別掲２に示すとおり、「Ｓａｉｌｏｒ」の文字を書してなり、昭和５年６月２３日に登録出願、第５１類「文房具」を指定商品として、昭和５年１２月１１日に設定登録され、その後、６回に亘り商標権の存続期間の更新登録がなされ、さらに、指定商品については、平成１３年１０月２４日に第２類、第１６類及び第２４類に属する商標登録原簿記載のとおり商品を指定商品とする書換登録がされているものである。
（２）登録第４３８０９３号商標（以下「引用商標２」という。）は、別掲３に示すとおりの構成からなり、昭和２１年１２月５日に登録出願、第５１類「万年筆」を指定商品として、昭和２９年１月２０日に設定登録され、その後、４回に亘り商標権の存続期間の更新登録がなされ、さらに、指定商品については、平成１５年１２月１７日に第１６類に属する商標登録原簿記載のとおりの商品を指定商品とする書換登録がされているものである。
（３）登録第５５４６３５号商標（以下「引用商標３」という。）は、別掲４に示すとおり、「Ｓａｉｌｏｒ」の文字を書してなり、昭和３４年７月３１日に登録出願、第５８類に属する商標登録原簿記載のとおりの商品を指定商品として、昭和３５年８月２３日に設定登録され、その後、４回に亘り商標権の存続期間の更新登録がなされ、さらに、指定商品については、平成１４年２月２０日に第１６類及び第２０類に属する商標登録原簿記載のとおりの商品を指定商品とする書換登録がされているものである。
（４）登録第５６２４４３号商標（以下「引用商標４」という。）は、別掲４に示すとおり、「Ｓａｉｌｏｒ」の文字を書してなり、昭和３４年７月３１日に登録出願、第５０類に属する商標登録原簿記載のとおりの商品を指定商品として、昭和３５年１２月１５日に設定登録され、商標権一部取消し審判により、その指定商品中「千代紙、折り紙、いろ紙及びこれらの類似商品」について商標登録を取り消すべき旨の審決がされ、同６３年７月２５日にその確定審決の登録がされ、そして、４回に亘り商標権の存続期間の更新登録がなされ、さらに、指定商品については、平成１３年１０月２４日に第１６類に属する商標登録原簿記載のとおりの商品を指定商品とする書換登録がされているものである。
（５）登録第５６３１０３号商標（以下「引用商標５」という。）は、別掲４に示すとおり、「Ｓａｉｌｏｒ」の文字を書してなり、昭和３４年７月３１日に登録出願、第１５類に属する商標登録原簿記載のとおりの商品を指定商品として、昭和３５年１２月２０日に設定登録され、その後、４回に亘り商標権の存続期間の更新登録がなされ、さらに、指定商品については、平成１４年２月２７日に第２１類に属する商標登録原簿記載のとおりの商品を指定商品とする書換登録がされているものである。
（６）登録第５６５４１１号商標（以下「引用商標６」という。）は、別掲４に示すとおり、「Ｓａｉｌｏｒ」の文字を書してなり、昭和３４年７月３１日に登録出願、第１８類に属する商標登録原簿記載のとおりの商品を指定商品として、昭和３６年１月２７日に設定登録され、その後、４回に亘り商標権の存続期間の更新登録がなされ、さらに、指定商品については、平成１４年１月１６日に第９類及び第１０類に属する商標登録原簿記載のとおりの商品を指定商品とする書換登録がされているものである。
（７）登録第１０６８７００号商標（以下「引用商標７」という。）は、別掲５に示すとおり、「Ｓａｉｌｏｒ」の文字を書してなり、昭和４４年１０月２１日に登録出願、第２５類に属する商標登録原簿記載のとおりの商品を指定商品として、昭和４９年６月１日に設定登録され、その後、３回に亘り商標権の存続期間の更新登録がなされ、さらに、指定商品については、平成１７年３月２日に第１６類に属する商標登録原簿記載のとおりの商品を指定商品とする書換登録がされているものである。
（８）登録第１４１８５９６号商標（以下「引用商標８」という。）は、別掲４に示す構成からなる「Ｓａｉｌｏｒ」の文字と「ふでペン」の文字を一連に横書きしてなり、昭和４８年２月７日に登録出願、第２５類に属する商標登録原簿記載のとおりの商品を指定商品として、昭和５５年５月３０日に設定登録され、その後、３回に亘り商標権の存続期間の更新登録がなされ、さらに、指定商品については、平成２２年３月２４日に第１６類に属する商標登録原簿記載のとおりの商品を指定商品とする書換登録がされているものである。
（９）登録第１４１８５９７号商標（以下「引用商標９」という。）は、別掲６に示すとおりの構成からなり、昭和４８年３月９日に登録出願、第２５類に属する商標登録原簿記載のとおりの商品を指定商品として、昭和５５年５月３０日に設定登録され、その後、２回に亘り商標権の存続期間の更新登録がなされているものである。
　その後、平成２２年５月３０日に商標権の存続期間が満了し、同２３年２月１６日にその抹消登録がされているものである。
（１０）登録第１４２３５４８号商標（以下「引用商標１０」という。）は、「ＳＡＩＬＯＲ」の文字を書してなり、昭和５１年５月１３日に登録出願、第２５類に属する商標登録原簿記載のとおりの商品を指定商品として、昭和５５年６月２７日に設定登録され、その後、３回に亘り商標権の存続期間の更新登録がなされ、さらに、指定商品については、平成２２年３月２４日に第１６類及び第２４類に属する商標登録原簿記載のとおりの商品を指定商品とする書換登録がされているものである。
（１１）登録第１４４２４７０号商標（以下「引用商標１１」という。）は、「セーラー」の文字を書してなり、昭和４７年９月１８日に登録出願、第２２類に属する商標登録原簿記載のとおりの商品を指定商品として、昭和５５年１０月３１日に設定登録され、その後、２回に亘り商標権の存続期間の更新登録がなされ、さらに、指定商品については、平成１３年３月１４日に第２５類に属する商標登録原簿記載のとおりの商品を指定商品とする書換登録がされているものである。
（１２）登録第１７９３３８６号商標（以下「引用商標１２」という。）は、別掲７に示すとおりの構成からなり、昭和５６年６月１５日に登録出願、第２４類に属する商標登録原簿記載のとおりの商品を指定商品として、昭和６０年７月２９日に設定登録され、その後、２回に亘り商標権の存続期間の更新登録がなされているものである。
（１３）登録第１８７４４７４号商標（以下「引用商標１３」という。）は、別掲８に示すとおり、「Ｓａｉｌｏｒ」の文字を書してなり、昭和５９年６月２８日に登録出願、第２６類に属する商標登録原簿記載のとおりの商品を指定商品として、昭和６１年６月２７日に設定登録され、その後、２回に亘り商標権の存続期間の更新登録がなされ、さらに、指定商品については、平成１８年４月５日に第９類及び第１６類に属する商標登録原簿記載のとおりの商品を指定商品とする書換登録がされているものである。
（１４）登録第２０６９１２７号商標（以下「引用商標１４」という。）は、「ＳＡＩＬＯＲＳ」の文字を書してなり、昭和６１年３月２５日に登録出願、第２５類に属する商標登録原簿記載のとおりの商品を指定商品として、昭和６３年８月２９日に設定登録され、その後、２回に亘り商標権の存続期間の更新登録がなされ、さらに、指定商品については、平成２０年１１月５日に第１６類に属する商標登録原簿記載のとおりの商品を指定商品とする書換登録がされているものである。
（１５）登録第２１０３６４３号商標（以下「引用商標１５」という。）は、「ＳＡＩＬＯＲ」の文字を書してなり、昭和６１年１０月８日に登録出願、第１９類に属する商標登録原簿記載のとおりの商品を指定商品として、昭和６３年１２月１９日に設定登録され、その後、２回に亘り商標権の存続期間の更新登録がなされ、さらに、指定商品については、平成２０年１２月１０日に第１６類及び第２１類に属する商標登録原簿記載のとおりの商品を指定商品とする書換登録がされているものである。
（１６）登録第２１１７７４７号商標（以下「引用商標１６」という。）は、「ＳＡＩＬＯＲ」の文字を書してなり、昭和６１年１０月８日に登録出願、第１０類に属する商標登録原簿記載のとおりの商品を指定商品として、平成元年２月２１日に設定登録され、その後、２回に亘り商標権の存続期間の更新登録がなされ、さらに、指定商品については、平成２１年２月４日に第９類に属する商標登録原簿記載のとおりの商品を指定商品とする書換登録がされているものである。
（１７）登録第２１２０２４１号商標（以下「引用商標１７」という。）は、「ＳＡＩＬＯＲ」の文字を書してなり、昭和６１年１０月８日に登録出願、第３３類に属する商標登録原簿記載のとおりの商品を指定商品として、平成元年３月２７日に設定登録され、その後、２回に亘り商標権の存続期間の更新登録がなされ、さらに、指定商品については、平成２１年２月２５日に第３１類に属する商標登録原簿記載のとおりの商品を指定商品とする書換登録がされているものである。
（１８）登録第２１３６８２８号商標（以下「引用商標１８」という。）は、「ＳＡＩＬＯＲ」の文字を書してなり、昭和６１年１０月８日に登録出願、第２３類に属する商標登録原簿記載のとおりの商品を指定商品として、平成元年５月３０日に設定登録され、その後、２回に亘り商標権の存続期間の更新登録がなされ、さらに、指定商品については、平成２１年４月２２日に第９類に属する商標登録原簿記載のとおりの商品を指定商品とする書換登録がされているものである。
（１９）登録第２１４０５６３号商標（以下「引用商標１９」という。）は、「ＳＡＩＬＯＲ」の文字を書してなり、昭和６１年１０月８日に登録出願、第２４類に属する商標登録原簿記載のとおりの商品を指定商品として、平成元年５月３０日に設定登録され、その後、２回に亘り商標権の存続期間の更新登録がなされ、さらに、指定商品については、平成２１年４月２２日に第２８類に属する商標登録原簿記載のとおりの商品を指定商品とする書換登録がされているものである。
（２０）登録第２１４６８８７号商標（以下「引用商標２０」という。）は、別掲９に示すとおり「セーラー」の文字を書してなり、昭和６１年１０月８日に登録出願、第２５類に属する商標登録原簿記載のとおりの商品を指定商品として、平成元年６月２３日に設定登録され、その後、２回に亘り商標権の存続期間の更新登録がなされ、さらに、指定商品については、平成２１年４月２２日に第１６類及び第２４類に属する商標登録原簿記載のとおりの商品を指定商品とする書換登録がされているものである。
（２１）登録第２１６０７２８号商標（以下「引用商標２１」という。）は、別掲９に示すとおり「セーラー」の文字を書してなり、昭和６１年１０月８日に登録出願、第２６類に属する商標登録原簿記載のとおりの商品を指定商品として、平成元年８月３１日に設定登録され、その後、２回に亘り商標権の存続期間の更新登録がなされ、さらに、指定商品については、平成２１年６月３日に第１６類に属する商標登録原簿記載のとおりの商品を指定商品とする書換登録がされているものである。
（２２）登録第２１６０７２９号商標（以下「引用商標２２」という。）は、「ＳＡＩＬＯＲ」の文字を書してなり、昭和６１年１０月８日に登録出願、第２６類に属する商標登録原簿記載のとおりの商品を指定商品として、平成元年８月３１日に設定登録され、その後、２回に亘り商標権の存続期間の更新登録がなされ、さらに、指定商品については、平成２１年６月３日に第１６類に属する商標登録原簿記載のとおりの商品を指定商品とする書換登録がされているものである。
（２３）登録第２５４４９３３号商標（以下「引用商標２３」という。）は、「ＳＡＩＬＯＲＳ」の文字を書してなり、昭和６１年３月２５日に登録出願、第２７類に属する商標登録原簿記載のとおりの商品を指定商品として、平成５年６月３０日に設定登録され、その後、平成１５年２月１８日に商標権の存続期間の更新登録がなされ、さらに、指定商品については、平成１５年６月１１日に第３４類に属する商標登録原簿記載のとおりの商品を指定商品とする書換登録がされているものである。
（２４）登録第２５４４９３４号商標（以下「引用商標２４」という。）は、「ＳＡＩＬＯＲ」の文字を書してなり、昭和６１年１０月８日に登録出願、第２７類に属する商標登録原簿記載のとおりの商品を指定商品として、平成５年６月３０日に設定登録され、その後、平成１５年２月１８日に商標権の存続期間の更新登録がなされ、さらに、指定商品については、平成１５年６月１１日に第３４類に属する商標登録原簿記載のとおりの商品を指定商品とする書換登録がされているものである。
（２５）登録第２５７４６１８号商標（以下「引用商標２５」という。）は、「ＳＡＩＬＯＲ」の文字を書してなり、昭和６１年１０月８日に登録出願、第２２類に属する商標登録原簿記載のとおりの商品を指定商品として、平成５年９月３０日に設定登録され、その後、平成１５年４月２２日に商標権の存続期間の更新登録がなされ、さらに、指定商品については、平成１６年８月４日に第１８類及び第２１類に属する商標登録原簿記載のとおりの商品を指定商品とする書換登録がされているものである。
（２６）登録第２６１５８０２号商標（以下「引用商標２６」という。）は、「ＳＡＩＬＯＲ」の文字を書してなり、昭和６１年１０月８日に登録出願、第１１類に属する商標登録原簿記載のとおりの商品を指定商品として、平成６年１月３１日に設定登録され、その後、平成１５年９月１６日に商標権の存続期間の更新登録がなされ、さらに、指定商品については、平成１５年１２月１７日に第７類及び第９類に属する商標登録原簿記載のとおりの商品を指定商品とする書換登録がされているものである。
（２７）登録第２７２３２６９号商標（以下「引用商標２７」という。）は、「ＳＡＩＬＯＲ」の文字を書してなり、昭和６１年１０月８日に登録出願、第２１類に属する商標登録原簿記載のとおりの商品を指定商品として、平成９年１０月１７日に設定登録され、その後、平成１９年６月１２日に商標権の存続期間の更新登録がなされ、さらに、指定商品については、平成１９年１１月７日に第８類、第１４類、第１８類及び第２１類に属する商標登録原簿記載のとおりの商品を指定商品とする書換登録がされているものである。
（２８）登録第４２７８１１５号商標（以下「引用商標２８」という。）は、別掲５に示すとおり、「Ｓａｉｌｏｒ」の文字よりなり、平成９年１０月２１日に登録出願、第１６類に属する商標登録原簿記載のとおりの商品を指定商品として、平成１１年５月２８日に設定登録され、その後、平成２１年１月２０日に商標権の存続期間の更新登録がなされているものである。
（２９）登録第４２８９３８９号商標（以下「引用商標２９」という。）は、「セーラー」及び「ＳＡＩＬＯＲ」の文字を併記してなり、平成１０年２月２４日に登録出願、第１類に属する商標登録原簿記載のとおりの商品を指定商品として、平成１１年７月２日に設定登録され、その後、平成２１年３月２４日に商標権の存続期間の更新登録がなされているものである。
（３０）登録第４２８９３９０号商標（以下「引用商標３０」という。）は、「セーラー」及び「ＳＡＩＬＯＲ」の文字を併記してなり、平成１０年２月２４日に登録出願、第３類に属する商標登録原簿記載のとおりの商品を指定商品として、平成１１年７月２日に設定登録され、その後、平成２１年３月２４日に商標権の存続期間の更新登録がなされているものである。
（３１）登録第４２８９３９１号商標（以下「引用商標３１」という。）は、「セーラー」及び「ＳＡＩＬＯＲ」の文字を併記してなり、平成１０年２月２４日に登録出願、第５類に属する商標登録原簿記載のとおりの商品を指定商品として、平成１１年７月２日に設定登録され、その後、平成２１年３月２４日に商標権の存続期間の更新登録がなされているものである。
（３２）登録第４５１７６９３号商標（以下「引用商標３２」という。）は、「ＳＡＩＬＯＲ」の文字を書してなり、平成１３年１月１１日に登録出願、第１４類に属する商標登録原簿記載のとおりの商品を指定商品として、平成１３年１０月２６日に設定登録されているものである。
（３３）登録第４５８５０５０号商標（以下「引用商標３３」という。）は、「セーラー」及び「楽書即消ペン」の文字を併記し、「楽書」の文字には「らくがき」のルビが振られてなり、平成１３年９月１０日に登録出願、第１６類に属する商標登録原簿記載のとおりの商品を指定商品として、平成１４年７月１２日に設定登録されているものである。
（３４）登録第４８２４４９４号商標（以下「引用商標３４」という。）は、別掲４に示すとおりの構成からなる「ＳＡＩＬＯＲ」の文字と「極黒」の文字を二段に書してなり、平成１６年５月２６日に登録出願、第１６類に属する商標登録原簿記載のとおりの商品を指定商品として、平成１６年１２月１０日に設定登録されているものである。
（３５）登録第５１４８８８０号商標（以下「引用商標３５」という。）は、「ＳＡＩＬＯＲ」の文字を標準文字で表してなり、平成２０年１月２３日に登録出願、第３０類に属する商標登録原簿記載のとおりの商品を指定商品として、平成２０年７月４日に設定登録されているものである。
　なお、上記（３）、（５）、（６）、（１１）ないし（１３）、（１５）ないし（１９）、（２１）、（２２）、（２５）ないし（３２）及び（３５）をまとめていうときは「引用商標」という。
　
３　当審において通知した審尋（要旨）及び請求人の対応
　本願商標は、原審において拒絶の理由に引用した登録第２０６９１２７号商標（引用商標１４）及び登録第２５４４９３３号商標（引用商標２３）と同一又は類似の商標であって、引用商標１４及び２３の指定商品と同一又は類似する役務「紙類及び文房具類の小売又は卸売の業務において行われる顧客に対する便益の提供，喫煙用具の小売又は卸売の業務において行われる顧客に対する便益の提供」を含むものであるから、いまだ商標法第４条第１項第１１号に該当するものとの判断に至ったものである。よって、本願の指定役務を補正する意思があれば、回答書に代わる手続補正書により、補正されたい。 
　これに対して、請求人は、平成２３年６月２４日付け手続補正書によって、指定役務を別掲１０に記載のとおりに補正した。
　
４　当審の判断
（１）本願商標と各引用商標との類否について
　本願の指定役務は、別掲１０のとおり補正された結果、引用商標１、２、４、７ないし１０、１４、２０、２３、２４、３３及び３４（以下「各引用商標」という。）の指定商品と同一又は類似の役務が削除されたものである。
　その結果、本願の指定役務は、各引用商標の指定商品と類似しない役務になった。
　したがって、各引用商標について、本願商標が商標法第４条第１項第１１号に該当するとして本願を拒絶した原査定の拒絶の理由は解消した。
（２）本願商標及び引用商標について
　本願商標は、別掲１のとおり、上部に図形部分、下部に文字部分からなる結合商標であるが、図形部分は、ひさしがない帽子をかぶり、ネッカチーフで結んだ大きな襟を有する人物の顔の図形（以下「人物図形」という。）であり、一方、文字部分は黒く縁取られたゴシック体で「ＳＡＩＬＯＲＳ」の文字を横書きしてなるものである。
　しかして、「ＳＡＩＬＯＲＳ」の語（文字）は、「水夫、水兵」（ｅプログレッシブ英和中辞典：http://dic.search.yahoo.co.jp/search?p=sailoraq=-1oq=r_dtype=allei=UTF-8）等の意味を有する英語として広く知られ親しまれている「ＳＡＩＬＯＲ」の複数形を表したものと容易に理解されるものであるから、該文字に相応して「セーラーズ」の称呼を生じ、「水兵」の観念を生ずるものと認められる。
　そして、人物図形は、身に着けている帽子、襟、スカーフが水兵帽、水兵服を認識させるから、文字部分をも考慮すれば、「水兵」の観念を生ずるものと判断するのが相当である。
　一方、引用商標３、５及び６は、別掲４のとおり、引用商標１３は、別掲８のとおり、引用商標２８は、別掲５のとおり、デザイン化された「Ｓａｉｌｏｒ」の欧文字よりなるものである。
　引用商標１１は、「セーラー」の片仮名よりなるものである。
　引用商標１２は、別掲７のとおり、王冠の図形と「ＳＥＩＬＥＲ」の欧文字とよりなるものである。
　引用商標１５ないし１９、引用商標２２、引用商標２５ないし２７、引用商標３２及び３５は、「ＳＡＩＬＯＲ」の欧文字によりなるものである。
　引用商標２１は、別掲９のとおり、「セーラー」の片仮名よりなるものである。
　引用商標２９ないし３１は、「セーラー」の片仮名と「ＳＡＩＬＯＲ」の欧文字とを二段に併記してなるものである。
　してみれば、引用商標は、その構成中に「Ｓａｉｌｏｒ」「ＳＡＩＬＯＲ」「ＳＥＩＬＥＲ」及び「セーラー」の文字を有するものから、該構成文字に相応して「セーラー」の称呼を生ずるものである。
　また、その構成中に「水夫、水兵」（広辞苑第六版）の意味を有する親しまれた英語「Ｓａｉｌｏｒ」「ＳＡＩＬＯＲ」及び日本語「セーラー」の文字を有するものであるから、「水兵」の観念を生ずるものといえるが、その構成中に「ＳＥＩＬＥＲ」の文字を有する引用商標１２は、特定の語義の有しない造語と認められるから、観念を生ずるものとはいえない。
（３）本願商標及び引用商標との類否について
　外観についてみると、本願商標と引用商標とは、前記ないし別掲１ないし９のとおりの構成であるから、外観上明らかに相違するものである。
　つぎに、本願商標から生ずる「セーラーズ」の称呼と引用商標から生ずる「セーラー」の称呼を比較すると、両者は、５音と４音の音構成からなるところ、末尾に「ズ」の有無に差異を有するのみであるが、長音を伴う比較的短い音構成にあっては、「ズ」の有無が称呼全体に及ぼす影響は小さいとはいえず、互いに相紛れるおそれはないということができる。
　また、本願商標と引用商標（ただし、引用商標１２を除く。）は、「水兵」の観念を同じくするものであるが、本願商標と引用商標１２は、観念において比較することはできない。
　してみれば、本願商標と引用商標とは、観念において類似するとしても（ただし、引用商標１２を除く。）、外観において顕著な差異を有するものであり、称呼上相紛れるおそれがないことから、これらを総合的に考察すれば、役務の出所についても混同を生ずるおそれはなく、互いに非類似の商標とみるのが相当である。
　したがって、本願商標が商標法第４条第１項第１１号に該当するものであるとして本願を拒絶した原査定は、妥当なものでなく、取消しを免れない。
　その他、政令で定める期間内に本願について拒絶の理由を発見しない。 
　よって、結論のとおり審決する。